(57)【要約】【課題】ルート周辺検索の際に、ユーザの希望に適合した施設を迅速かつ適切に検索することができる「車載用ナビゲーション装置」を提供すること。【解決手段】推奨経路探索手段３１によって少なくとも１箇所の経由地を経由するような推奨経路が探索された場合に、推奨経路の周辺に存在する施設の検索を行う際に、推奨経路探索手段３１によって探索された推奨経路を示す画像として、自車位置、目的地および経由地の各地点によって区分された推奨経路における各区間をユーザが選択可能とされた画像を表示部１７に表示する推奨経路画像表示処理手段３２と、この推奨経路画像表示処理手段３２によって表示された推奨経路を示す画像の中からユーザによって選択された区間の周辺に存在する施設を検索する施設検索手段４５とを備えたこと。【選択図】図１
2008286585.tif 000002
【特許請求の範囲】
【請求項１】
施設の検索が可能に形成された車載用ナビゲーション装置であって、
自車位置を検出する自車位置検出手段と、
目的地を設定する目的地設定手段と、
経由地を設定する経由地設定手段と、
地図データが記憶された地図データ記憶手段と、
前記自車位置検出手段によって検出された前記自車位置から前記目的地設定手段によって設定された前記目的地までの推奨経路であって、前記経由地設定手段によって前記経由地が設定された場合には当該設定された前記経由地を経由するような推奨経路を、前記地図データ記憶手段に記憶された前記地図データを用いて探索する推奨経路探索手段と、
この推奨経路探索手段によって少なくとも１箇所の前記経由地を経由するような前記推奨経路が探索された場合に、前記施設の検索を行う際に、前記推奨経路探索手段によって探索された推奨経路を示す画像として、前記自車位置、前記目的地および前記経由地の各地点によって区分される前記推奨経路における各区間をユーザが選択可能とされた画像を表示部に表示する推奨経路画像表示処理手段と、
ユーザが、前記推奨経路画像表示処理手段によって表示された前記推奨経路を示す画像を用いることによって所望の前記区間を選択した場合に、選択された前記区間の周辺に存在する前記施設を、前記地図データ記憶手段に記憶された前記地図データを用いて検索する施設検索手段と、
この施設検索手段によって検索された前記施設の情報を前記表示部に表示する施設情報表示処理手段と
を備えたことを特徴とする車載用ナビゲーション装置。
【請求項２】
前記推奨経路画像表示処理手段が、前記推奨経路を示す画像として、前記区間とともに前記地点をユーザが選択可能とされた画像を前記表示部に表示するように形成され、
ユーザが、前記推奨経路画像表示処理手段によって表示された前記推奨経路を示す画像を用いることによって所望の前記地点を選択した場合に、前記施設検索手段が、選択された前記地点の周辺に存在する施設を前記地図データ記憶手段に記憶された前記地図データを用いて検索して前記表示部に表示するように形成されていること
を特徴とする請求項１に記載の車載用ナビゲーション装置。
【請求項３】
前記推奨経路画像表示処理手段が、前記推奨経路を示す画像として、前記区間の距離が所定の閾値距離を超える場合には、当該区間を前記閾値距離以内の区間ごとに分割し、分割された各区間を個別に選択可能とされた画像を表示するように形成されていること
を特徴とする請求項１または請求項２に記載の車載用ナビゲーション装置。
【請求項４】
前記推奨経路画像表示処理手段が、前記推奨経路を示す画像として、前記地点を示す図形または前記区間を示す簡易図形がそれぞれ描かれた複数個の操作ボタンであって、前記図形または前記簡易図形に対応する前記地点または前記区間をユーザが選択可能とされた複数個の操作ボタンを、前記自車位置側から前記目的地側に向かって順番に配置した画像を表示するように形成されていること
を特徴とする請求項２または請求項３に記載の車載用ナビゲーション装置。
【請求項５】
前記推奨経路画像表示処理手段が、前記推奨経路を示す画像として、前記地点を前記表示部に表示される地図上に当該地図の道路形状に適合した状態として示すための図形または前記区間を前記地図上に当該地図の道路形状に適合した状態として示すための図形がそれぞれ描かれた複数個の操作ボタンであって、前記図形に対応する前記地点または前記区間をユーザが選択可能とされた複数個の操作ボタンを、前記地図における該当する位置上に重畳させた画像を表示するように形成されていること
を特徴とする請求項２または請求項３に記載の車載用ナビゲーション装置。
【発明の詳細な説明】
【技術分野】
【０００１】
本発明は、車載用ナビゲーション装置に係り、特に、推奨経路の周辺に存在する施設を検索するのに好適な車載用ナビゲーション装置に関する。
【背景技術】
【０００２】
従来から、自車位置から目的地までの推奨経路に沿って自車両を目的地まで誘導する車載用ナビゲーション装置には、地図データにおける検索データを利用して、ユーザが指定した条件に応じた施設の検索を行う機能が備えられていた。
【０００３】
このような施設の検索を行う機能が備えられた車載用ナビゲーション装置は、例えば、施設の種別を選択可能とされた図示しない操作画面をディスプレイに表示し、この操作画面に対してタッチパネルやリモコン等の入力手段を用いたユーザ操作によって種別の選択が行われた後に、図８（ａ）に示すように、施設の検索範囲を選択するための操作画面（以下、検索範囲選択用画面１と称する）を表示するようになっている。
【０００４】
この検索範囲選択用画面１は、現在地すなわち自車位置の周辺に存在する施設を検索する現在地周辺検索を行うことを選択するための第１操作ボタン２を有している。また、検索範囲選択用画面１は、目的地の周辺に存在する施設を検索する目的地周辺検索を行うことを選択するための第２操作ボタン３を有している。さらに、検索範囲選択用画面１は、経由地の周辺に存在する施設を検索する経由地周辺検索を行うことを選択するための第３操作ボタン４を有している。さらにまた、検索範囲選択用画面１は、推奨経路の周辺に存在する施設を検索するルート周辺検索を行うことを選択するための第４操作ボタン５を有している。
【０００５】
そして、このような検索範囲選択用画面１において、ユーザ操作によって第１、第２または第４操作ボタン２，３，５が操作された場合には、車載用ナビゲーション装置は、現在地周辺検索、目的地周辺検索またはルート周辺検索を行って、図８（ｂ）に示すように、検索された施設（図８（ｂ）におけるホテル）の一覧を示す施設情報６を、ディスプレイに表示するようになっている。
【０００６】
一方、検索範囲選択用画面１において、第３操作ボタン４が操作された場合であって、複数箇所の経由地が設定されている場合には、車載用ナビゲーション装置は、図８（ｃ）に示すように、設定されている複数箇所の経由地の中から経由地周辺検索の中心地点となる経由地を選択するための操作画面（以下、経由地選択用画面７と称する）を、ディスプレイに表示するようになっている。
【０００７】
この経由地選択用画面７は、複数箇所の経由地をそれぞれ選択可能とされた複数個の操作ボタン８，９，１０を有している。
【０００８】
そして、このような経由地選択用画面７において、ユーザ操作によって１つの操作ボタン８，９，１０が操作されると、車載用ナビゲーション装置は、操作された操作ボタン８，９，１０に対応する経由地周辺検索を行って、検索された施設についての施設情報６を、ディスプレイに表示するようになっている。
【０００９】
【特許文献１】特開２００６−８４１８６号公報
【特許文献２】特開２００６−２０１０７２号公報
【発明の開示】
【発明が解決しようとする課題】
【００１０】
しかしながら、従来は、ルート周辺検索を行う際には、経由地の設定の有無にかかわらず、推奨経路の全域にわたって推奨経路上における現在地に近い地点の周辺に存在する施設から順番に検索を行っていたため、推奨経路上における現在地から遠い地点の周辺に存在する施設については、検索に非常に時間がかかったり、あるいは、検索件数の制限によって検索することができないことがあった。
【００１１】
したがって、従来は、ルート周辺検索の際に、ユーザが希望する推奨経路上の地点の周辺に存在する施設を迅速かつ適切に検索することができないといった問題が生じていた。
【００１２】
そこで、本発明は、このような問題点に鑑みなされたものであり、ルート周辺検索の際に、ユーザの希望に適合した施設を迅速かつ適切に検索することができる車載用ナビゲーション装置を提供することを目的とするものである。
【課題を解決するための手段】
【００１３】
前述した目的を達成するため、本発明に係る車載用ナビゲーション装置は、自車位置を検出する自車位置検出手段と、目的地を設定する目的地設定手段と、経由地を設定する経由地設定手段と、地図データが記憶された地図データ記憶手段と、前記自車位置検出手段によって検出された前記自車位置から前記目的地設定手段によって設定された前記目的地までの推奨経路であって、前記経由地設定手段によって前記経由地が設定された場合には当該設定された前記経由地を経由するような推奨経路を、前記地図データ記憶手段に記憶された前記地図データを用いて探索する推奨経路探索手段と、この推奨経路探索手段によって少なくとも１箇所の前記経由地を経由するような前記推奨経路が探索された場合に、施設の検索を行う際に、前記推奨経路探索手段によって探索された推奨経路を示す画像として、前記自車位置、前記目的地および前記経由地の各地点によって区分される前記推奨経路における各区間をユーザが選択可能とされた画像を表示部に表示する推奨経路画像表示処理手段と、ユーザが、前記推奨経路画像表示処理手段によって表示された前記推奨経路を示す画像を用いることによって所望の前記区間を選択した場合に、選択された前記区間の周辺に存在する前記施設を、前記地図データ記憶手段に記憶された前記地図データを用いて検索する施設検索手段と、この施設検索手段によって検索された前記施設の情報を前記表示部に表示する施設情報表示処理手段とを備えたことを特徴としている。
【００１４】
また、本発明に係る他の車載用ナビゲーション装置は、前記推奨経路画像表示処理手段が、前記推奨経路を示す画像として、前記区間とともに前記地点をユーザが選択可能とされた画像を前記表示部に表示するように形成され、ユーザが、前記推奨経路画像表示処理手段によって表示された前記推奨経路を示す画像を用いることによって所望の前記地点を選択した場合に、前記施設検索手段が、選択された前記地点の周辺に存在する施設を前記地図データ記憶手段に記憶された前記地図データを用いて検索して前記表示部に表示するように形成されていることを特徴としている。
【００１５】
さらに、本発明に係る他の車載用ナビゲーション装置は、前記推奨経路画像表示処理手段が、前記推奨経路を示す画像として、前記区間の距離が所定の閾値距離を超える場合には、当該区間を前記閾値距離以内の区間ごとに分割し、分割された各区間を個別に選択可能とされた画像を表示するように形成されていることを特徴としている。
【００１６】
さらにまた、本発明に係る他の車載用ナビゲーション装置は、前記推奨経路画像表示処理手段が、前記推奨経路を示す画像として、前記地点を示す図形または前記区間を示す簡易図形がそれぞれ描かれた複数個の操作ボタンであって、前記図形または前記簡易図形に対応する前記地点または前記区間をユーザが選択可能とされた複数個の操作ボタンを、前記自車位置側から前記目的地側に向かって順番に配置した画像を表示するように形成されていることを特徴としている。
【００１７】
また、本発明に係る他の車載用ナビゲーション装置は、前記推奨経路画像表示処理手段が、前記推奨経路を示す画像として、前記地点を前記表示部に表示される地図上に当該地図の道路形状に適合した状態として示すための図形または前記区間を前記地図上に当該地図の道路形状に適合した状態として示すための図形がそれぞれ描かれた複数個の操作ボタンであって、前記図形に対応する前記地点または前記区間をユーザが選択可能とされた複数個の操作ボタンを、前記地図における該当する位置上に重畳させた画像を表示するように形成されていることを特徴としている。
【発明の効果】
【００１８】
本発明に係る車載用ナビゲーション装置によれば、経由地を経由する推奨経路が探索された場合には、施設の検索の際に、推奨経路を示す画像として、自車位置、目的地および経由地の各地点によって区分された推奨経路における各区間をユーザが選択可能とされた画像を表示し、表示された推奨経路を示す画像の中からユーザによって選択された区間の周辺の施設を検索することによって、推奨経路のうちのユーザが希望する区間に限定したルート周辺検索を行うことができるので、ルート周辺検索の際に、ユーザの希望に適合した施設を迅速かつ適切に検索することができる。
【００１９】
また、本発明に係る他の車載用ナビゲーション装置によれば、推奨経路を示す画像として、前記区間とともに前記地点をユーザが選択可能とされた画像を表示し、前記地点が選択された場合には、前記地点の周辺に存在する施設を検索することによって、たとえ、複数箇所の経由地が設定されている場合であっても、所望の経由地を中心地点とした経由地周辺検索のための操作を１回で済ませることができるので、経由地周辺検索の際にも、ユーザの希望に適合した施設を迅速かつ適切に検索することができる。
【００２０】
さらに、本発明に係る他の車載用ナビゲーション装置によれば、推奨経路を示す画像として、閾値距離を超えるような地点同士の間の区間が閾値距離以内の区間ごとに分割されて個別に選択可能とされた画像を表示することによって、さらに地域を限定したルート周辺検索を行うことができるので、ルート周辺検索の際に、ユーザの希望に適合した施設をより迅速かつ適切に検索することができる。
【００２１】
さらにまた、本発明に係る他の車載用ナビゲーション装置によれば、推奨経路を示す画像として、地点を示す図形または区間を示す簡易図形が描かれた選択可能な複数個の操作ボタンが配置された画像を表示することによって、各地点または区間の位置関係を直感的に分かり易くすることができるので、ユーザが、所望の地点または区間を迅速かつ適切に選択することができ、ひいては、ユーザの希望に適合した施設をさらに迅速かつ適切に検索することができる。
【００２２】
また、本発明に係る他の車載用ナビゲーション装置によれば、推奨経路を示す画像として、前記地点を地図上に示すための図形または前記区間を地図上に示すための図形が描かれた選択可能な複数個の操作ボタンを地図上に重畳させた画像を表示することによって、地図上における各地点または区間の位置関係を直感的に分かり易くすることができるので、ユーザが、所望の地点または区間を迅速かつ適切に選択することができ、ひいては、ユーザの希望に適合した施設をさらに迅速かつ適切に検索することができる。
【発明を実施するための最良の形態】
【００２３】
（第１実施形態）
以下、本発明に係る車載用ナビゲーション装置の第１実施形態について、図１乃至図５を参照して説明する。
【００２４】
図１に示すように、本実施形態における車載用ナビゲーション装置１３は、大別して、ナビゲーションメインユニット１１と、このナビゲーションメインユニット１１にそれぞれ接続されたデータ読出装置１２、入力操作部１４、ＧＰＳレシーバ１５、自律航法センサ１６、ディスプレイ１７およびスピーカ１９とによって構成されている。なお、入力操作部１４は、ディスプレイ１７のタッチパネル、リモコン、リニアエンコーダまたはロータリエンコーダ等であってもよい。
【００２５】
データ読出装置１２には、地図データ記憶手段としての記憶媒体２０が搭載されており、この記憶媒体２０には、地図データをはじめとした車載用ナビゲーション装置１３の機能を実行するために必要な種々のデータが格納されている。本実施形態において、地図データは、地図表示機能および経路誘導機能の実行に用いられる道路データおよび背景データと、経路探索機能の実行に用いられる経路計算データと、目的地、経由地および施設等の検索機能の実行に用いられる検索データとを有している。
【００２６】
なお、記憶媒体２０は、ＤＶＤであってもよいし、または、ハードディスクであってもよい。
【００２７】
ＧＰＳレシーバ１５は、図示しないＧＰＳ衛星から軌道および時刻に関する情報（ＧＰＳ情報）を受信し、受信されたＧＰＳ情報をナビゲーションメインユニット１１に出力するようになっている。
【００２８】
自律航法センサ１６は、ジャイロセンサ等によって構成されており、この自律航法センサ１６は、自車両の走行速度や角速度を検出し、検出結果をナビゲーションメインユニット１１に出力するようになっている。
【００２９】
次に、ナビゲーションメインユニット１１について詳述すると、このナビゲーションメインユニット１１は、操作画面描画部２１を有しており、この操作画面描画部２１は、車載用ナビゲーション装置１３の機能を実行するために必要な種々の操作画面の描画データを生成して出力するようになっている。
【００３０】
操作画面描画部２１の出力側には、表示処理部２２が接続されており、この表示処理部２２の出力側には、ディスプレイ１７が接続されている。表示処理部２２には、操作画面描画部２１から出力された操作画面の描画データが入力されるようになっており、表示処理部２２は、入力された操作画面の描画データに対応した操作画面をディスプレイ１７に表示するようになっている。
【００３１】
操作画面描画部２１は、操作画面の１つとして、ユーザがナビゲーションの目的地を設定するための操作画面（以下、目的地設定画面と称する）の描画データを生成するようになっており、表示処理部２２は、操作画面描画部２１によって生成された目的地設定画面の描画データに対応する目的地設定画面をディスプレイ１７に表示するようになっている。目的地設定画面は、入力操作部１４の操作によって目的地の名称を直接入力する画面であってもよく、または、入力操作部１４の操作によって住所、電話番号および種別等を入力して目的地を特定する画面であってもよい。
【００３２】
ナビゲーションメインユニット１１は、目的地設定手段としての目的地設定部２４を有しており、この目的地設定部２４の入力側には、入力操作部１４が接続されている。この目的地設定部２４は、ディスプレイ１７に表示された目的地設定画面に対するユーザの入力操作部１４の操作結果に応じた目的地を設定し、設定結果を出力するようになっている。
【００３３】
また、操作画面描画部２１は、操作画面の１つとして、ユーザがナビゲーションの経由地を設定するための操作画面（以下、経由地設定画面と称する）の描画データを生成するようになっており、表示処理部２２は、操作画面描画部２１によって生成された経由地設定画面の描画データに対応する経由地設定画面をディスプレイ１７に表示するようになっている。経由地設定画面は、入力操作部１４の操作によって経由地の名称を直接入力する画面であってもよく、または、入力操作部１４の操作によって住所、電話番号および種別等を入力して経由地を特定する画面であってもよい。
【００３４】
ナビゲーションメインユニット１１は、経由地設定手段としての経由地設定部２５を有しており、この経由地設定部２５の入力側には、入力操作部１４が接続されている。この経由地設定部２５は、ディスプレイ１７に表示された経由地設定画面に対するユーザの入力操作部１４の操作結果に応じた経由地を設定し、設定結果を出力するようになっている。
【００３５】
さらに、操作画面描画部２１は、操作画面の１つとして、施設の検索条件を設定するための操作画面（以下、施設検索条件設定画面と称する）の描画データを生成するようになっており、表示処理部２２は、操作画面描画部２１によって生成された施設検索条件設定画面の描画データに対応する施設検索条件設定画面をディスプレイ１７に表示するようになっている。施設検索条件設定画面には、施設の検索条件の１つとしての施設の種別（例えば、宿泊施設等）を選択して設定するための操作画面と、他の検索条件としての施設の検索範囲（領域）を選択して設定するための操作画面（後述するボタン機能付き推奨経路画像）とが含まれている。
【００３６】
ナビゲーションメインユニット１１は、施設検索条件設定部２６を有しており、この施設検索条件設定部２６の入力側には、入力操作部１４が接続されている。この施設検索条件設定部２６は、ディスプレイ１７に表示された施設検索条件設定画面に対するユーザの入力操作部１４の操作結果に応じた施設の検索条件を設定するようになっている。
【００３７】
ＧＰＳレシーバ１５および自律航法センサ１６の出力側には、自車位置検出手段としての自車位置算出部２７が接続されており、この自車位置算出部２７には、ＧＰＳレシーバ１５から出力されたＧＰＳ情報および自律航法センサ１６から出力された検出結果がそれぞれ入力されるようになっている。そして、自車位置算出部２７は、ＧＰＳレシーバ１５側から入力されたＧＰＳ情報に基づいて、自車位置を絶対座標として算出（検出）するようになっている（電波航法）。また、自車位置算出部２７は、自律航法センサ１６側から入力された検出結果に基づいて、自車位置を前の自車位置からの相対位置として算出（検出）するようになっている（自律航法）。
【００３８】
また、自車位置算出部２７の出力側であってデータ読出装置１２の入力側には、データ読出制御部２９が、自車位置算出部２７の入力側であってデータ読出装置１２の出力側には、バッファ３０が、それぞれ接続されている。
【００３９】
自車位置算出部２７は、データ読出制御部２９に対して、自律航法または電波航法によって算出された自車位置およびその周辺の領域に対応する地図データを読み出すための読出し要求を出力するようになっており、データ読出制御部２９は、データ読出装置１２に、当該読出し要求に応じた地図データを記憶媒体２０から読み出させるようになっている。この読み出された地図データは、バッファ３０に一時的に格納された後に、自車位置算出部２７に入力されるようになっている。
【００４０】
そして、自車位置算出部２７は、電波航法または自律航法によって算出され自車位置が、地図データにおける道路上にない場合には、バッファ３０から入力された地図データにおける該当する道路上の位置に自車位置を補正するマップマッチング処理を行い、このマップマッチング処理によって補正された自車位置を最終的な算出結果とするようになっている。
【００４１】
目的地設定部２４、経由地設定部２５、バッファ３０および自車位置算出部２７の出力側であって、データ読出制御部２９の入力側には、推奨経路探索手段としての推奨経路算出部３１が接続されている。この推奨経路算出部３１は、目的地設定部２４側から目的地の設定結果が入力され、自車位置算出部２７側から自車位置の算出結果が入力されると、データ読出制御部２９に対して、自車位置から目的地までの所定の領域の地図データ（経路計算データ）を読み出すための読出し要求を出力するようになっている。そして、データ読出制御部２９は、この推奨経路算出部３１によって出力された読出し要求に応じた地図データをデータ読出装置１２を介して記憶媒体２０から読み出すようになっている。この読み出された地図データは、バッファ３０に一時的に格納された後に、推奨経路算出部３１に入力されるようになっている。そして、推奨経路算出部３１は、入力された地図データを用いて、自車位置から目的地までの推奨経路の算出を行い、算出結果を出力するようになっている。
【００４２】
また、推奨経路算出部３１は、経由地設定部２５側から、経由地の設定結果が入力された場合には、設定された経由地を経由するような推奨経路を地図データを用いて算出するようになっている。
【００４３】
なお、推奨経路算出部３１は、推奨経路の算出の際に、経由地の有無以外の推奨経路の算出条件（例えば、高速道路を通る等）も加味するようにしてもよいことは勿論である。この場合には、操作画面描画部２１および表示処理部２２によって推奨経路の算出条件を設定するための操作画面をディスプレイ１７に表示することにより、推奨経路の算出条件をユーザ操作によって設定することができるようにすればよい。
【００４４】
さらに、本実施形態において、操作画面描画部２１は、推奨経路画像表示処理手段として機能するボタン機能付き推奨経路描画部３２を有しており、このボタン機能付き推奨経路描画部３２には、推奨経路算出部３１の算出結果が入力されるようになっている。
【００４５】
このボタン機能付き推奨経路描画部３２は、推奨経路算出部３１によって少なくとも１箇所の経由地を経由するような推奨経路が算出された場合には、施設検索条件設定画面として、推奨経路を示す画像であって、自車位置、目的地および経由地の各地点および各地点によって区分された推奨経路における各区間をユーザが操作ボタンを介して選択可能とされた画像（以下、ボタン機能付き推奨経路画像と称する）の描画データを生成するようになっている。表示処理部２２は、ボタン機能付き推奨経路描画部３２とともに推奨経路画像表示処理手段として機能し、ボタン機能付き推奨経路描画部３２によって生成されたボタン機能付き推奨経路画像の描画データに対応するボタン機能付き推奨経路画像をディスプレイ１７に表示するようになっている。
【００４６】
このボタン機能付き推奨経路画像の表示は、例えば、ディスプレイ１７に表示されたメニュー画面に対する施設の検索に移行するためのユーザ操作等の施設の検索を行うことが確定した場合に実行されることになる。
【００４７】
より具体的には、図２（ａ）に示すように、本実施形態におけるボタン機能付き推奨経路画像３４は、自車位置、第１番目の経由地、第２番目の経由地および目的地の各地点を示す図形がぞれぞれ描かれた４個の操作ボタン３５，３６，３７，３８と、推奨経路における各地点間の区間を示す簡易図形がそれぞれ描かれた３個の操作ボタン３９，４０，４１とを、自車位置側から目的地側に向かって順番に配置した画像とされている。
【００４８】
ただし、図２（ａ）におけるボタン機能付き推奨経路画像３４は、経由地が２箇所設定されている場合の画像であり、経由地を示す図形および推奨経路における経由地に隣接する区間を示す簡易図形が描かれた操作ボタンの個数は、経由地の設定数に応じて増減するようになっている。例えば、設定された経由地が１箇所の場合には、図３に示すように、自車位置、１箇所の経由地、および目的地の各地点を示す図形がぞれぞれ描かれた３個の操作ボタン３５，３６，３８と、推奨経路における各地点間の区間を示す簡易図形がそれぞれ描かれた２個の操作ボタン３９，４０とを自車位置側から目的地側に向かって順番に配置したボタン機能付き推奨経路画像４２が表示されることになる。
【００４９】
なお、経由地が１箇所も設定されていない場合には、操作画面描画部２１は、ボタン機能付き推奨経路画像に類似した画像として、図４に示すように、自車位置および目的地の各地点を示す図形がぞれぞれ描かれた２個の操作ボタン３５，３８と、推奨経路における各地点間の区間を示す簡易図形が描かれた１個の操作ボタン３９とを自車位置側から目的地側に向かって順番に配置した画像４３を表示するようにしてもよい。
【００５０】
ユーザは、ボタン機能付き推奨経路画像の中から、入力操作部１４を用いることによって、所望の地点または区間に対応する操作ボタンを選択して操作（例えば、押下げ）することができるようになっている。なお、ボタン機能付き推奨経路画像は、１個のみの操作ボタンを操作することができるものであってもよく、または、複数個の操作ボタンを操作することができるものであってもよい。
【００５１】
そして、施設検索条件設定部２６は、ボタン機能付き推奨経路画像におけるユーザによって操作された操作ボタンに対応する地点または区間を、施設の検索条件の１つとしての施設の検索範囲として設定するようになっている。
【００５２】
施設検索条件設定部２６およびバッファ３０の出力側であって、データ読出制御部２９の入力側には、施設検索手段としての施設検索部４５が接続されており、この施設検索部４５には、施設検索条件設定部２６によって設定された施設の検索条件が入力されるようになっている。
【００５３】
施設検索部４５は、施設検索条件設定部２６側から入力された検索条件に対応する検索データを記憶媒体２０から読み出すための読出し要求をデータ読出制御部２９に出力させるようになっている。データ読出し装置１２は、当該読出し要求に対応した検索データを記憶媒体２０から読み出し、読み出された検索データを、バッファ３０に一時的に格納するようになっている。このバッファ３０に格納された検索データは、施設検索部４５によって取得されるようになっている。
【００５４】
そして、施設検索部４５は、取得された検索データを用いて、施設の検索条件に応じた施設を検索し、検索結果を出力するようになっている。
【００５５】
具体的には、施設検索部４５は、例えば、施設の検索条件における種別の条件として、宿泊施設が設定されている場合であって、施設の検索条件における検索範囲の条件として、図２（ａ）における操作ボタン４１の操作によって第２番目の経由地と目的地との間の区間が設定（選択）されている場合には、この区間の周辺の宿泊施設を検索するルート周辺検索を行うようになっている。
【００５６】
また、施設検索部４５は、例えば、種別の条件として、宿泊施設が設定されている場合であって、検索範囲の条件として、図２（ａ）における操作ボタン３７の操作によって第２番目の経由地が設定（選択）されている場合には、この経由地の周辺の宿泊施設を検索する経由地周辺検索を行うようになっている。
【００５７】
したがって、本実施形態によれば、ユーザがボタン機能付き推奨経路画像を用いることによって選択した区間の周辺の施設を検索することによって、推奨経路のうちのユーザが希望する区間に限定したルート周辺検索を行うことができる。
【００５８】
また、従来は、経由地周辺検索を行う際には、経由地が複数箇所設定されている場合には、図８（ｃ）に示したように、設定されている複数箇所の経由地の中から経由地周辺検索の中心地点となる１箇所の経由地を選択するための操作を余儀なくされていたため、経由地周辺検索を迅速に行うことができない場合があった。これに対し、本実施形態によれば、経由地が複数箇所設定されている場合であっても、ボタン機能付き推奨経路画像における各経由地にそれぞれ対応する操作ボタンを個別に選択することができるので、所望の１箇所の経由地を中心地点とした経由地周辺検索のための操作を１回で済ませることができる。
【００５９】
さらに、本実施形態によれば、ボタン機能付き推奨経路画像を、地点を示す図形または区間を示す簡易図形が描かれた複数個の操作ボタンが配置された画像とすることによって、各地点または区間の位置関係を直感的に分かり易くすることができる。
【００６０】
施設検索部４５と表示処理部２２との間には、施設情報表示処理手段としての施設情報描画部４６が接続されており、この施設情報描画部４６には、施設検索部４５から出力された施設の検索結果が入力されるようになっている。
【００６１】
そして、施設情報描画部４６は、入力された施設の検索結果に対応する施設についての施設名等の情報を示す施設情報の描画データを生成し、生成された施設情報の描画データを表示処理部２２に出力するようになっている。表示処理部２２は、図２（ｂ）に示すように、施設情報描画部４６から出力された施設情報の描画データに対応した施設情報６をディスプレイ１７に表示するようになっている。
【００６２】
上記構成以外にも、ナビゲーションメインユニット１１には、車載用ナビゲーション装置１３の機能を実行するための種々の構成が備えられている。
【００６３】
すなわち、データ読出制御部２９は、ユーザが、入力操作部１４を用いて自車位置およびその周辺の領域（以下、自車周辺領域と称する）の地図を表示するための入力操作を行うと、自車周辺領域についての地図データ（道路データおよび背景データ）を読み出すための読み出し要求をデータ読出装置１２に出力するようになっている。この読出し要求によって記憶媒体２０から読み出された自車周辺領域についての地図データは、バッファ３０に一時的に格納されるようになっている。
【００６４】
さらに、バッファ３０と表示処理部２２との間には、地図描画部４７が接続されており、この地図描画部４７は、バッファ３０から自車周辺領域についての地図データを取得し、取得された地図データに基づいて、自車周辺領域の地図の描画データを生成し、生成された地図の描画データを、表示処理部２２に出力するようになっている。そして、表示処理部２２は、地図描画部４７から出力された地図の描画データに対応する自車周辺領域の地図をディスプレイ１７に表示するようになっている。なお、地図描画部４７は、ユーザが、入力操作部１４を用いて自車周辺領域以外の領域を指定して当該領域の地図を表示するための入力操作を行うと、データ読出装置１２がデータ読出制御部２９の読み出し要求にしたがって記憶媒体２０から読み出した当該領域の地図データに基づいて、当該領域の地図の描画データを生成するようになっている。これにより、ディスプレイ１７には、表示処理部２２を介して当該領域の地図が表示されるようになっている。
【００６５】
さらにまた、自車位置算出部２７と表示処理部２２との間には、自車位置描画部４８が接続されており、この自車位置描画部４８は、自車位置算出部２７から自車位置のデータを取得し、取得された自車位置のデータに基づいて、自車位置を示す自車位置マークを表示するための描画データを生成して表示処理部２２に出力するようになっている。そして、表示処理部２２は、自車位置描画部４８から出力された自車位置マークの描画データに対応する自車位置マークをディスプレイ１７に表示された地図上に重畳表示するようになっている。
【００６６】
また、推奨経路算出部３１と表示処理部２２との間には、案内画像描画部５０が接続されており、この案内画像描画部５０には、推奨経路算出部３１から出力された推奨経路の算出結果が入力されるようになっている。そして、案内画像描画部５１は、推奨経路算出部３１側から入力された推奨経路の算出結果に基づいて、推奨経路に沿って自車を目的地まで誘導するための案内画像（例えば、交差点拡大画像や地図中の道路上に推奨経路を重ねて描いた画像）を表示するための案内画像描画データを生成するようになっている。表示処理部２２は、案内画像描画部５０によって生成された案内画像描画データに対応した案内画像をディスプレイ１７に表示するようになっている。
【００６７】
さらに、推奨経路算出部３１とスピーカ１９との間には、音声案内部５１が接続されており、この音声案内部５１には、推奨経路算出部３１によって算出された推奨経路の算出結果が入力されるようになっている。そして、音声案内部５１は、推奨経路算出部３１側から入力された推奨経路の算出結果に基づいて、交差点右左折案内等の音声案内を行うための案内音声データを生成するようになっている。スピーカ１９は、音声案内部５１によって生成された案内音声データを音声に変換して出力するようになっている。
【００６８】
次に、本実施形態の主たる作用について説明する。
【００６９】
本実施形態においては、まず、ユーザが、入力操作部１４を用いることによって、ディスプレイ１７に表示された目的地設定画面に対して目的地を設定するためのユーザ操作を行うと、目的地設定部２４により、ユーザ操作に対応した目的地が設定される。
【００７０】
次いで、ユーザが、入力操作部１４を用いることによって、ディスプレイ１７に表示された経由地設定画面に対して２箇所の経由地を設定するためのユーザ操作とを行うと、経由地設定部２５により、ユーザ操作に対応した２箇所の経由地が設定される。
【００７１】
そして、これらの目的地および経由地が設定されると、推奨経路算出部３１により、第１番目の経由地および第２番目の経由地の２箇所の経由地を経由するような自車位置から目的地までの推奨経路が算出される。
【００７２】
次いで、ユーザが、入力操作部１４を用いることによって、メニュー画面等の操作画面に対して施設の検索に移行するためのユーザ操作を行うと、ボタン機能付き推奨経路描画部３２により、推奨経路算出部３１の算出結果に応じたボタン機能付き推奨経路画像の描画データが生成され、生成された描画データが、表示処理部２２に出力される。
【００７３】
これにより、表示処理部２２によって、図２（ａ）に示すような２箇所の経由地を経由するような推奨経路についてのボタン機能付き推奨経路画像３４がディスプレイ１７に表示される。
【００７４】
そして、ユーザが、表示されたボタン機能付き推奨経路画像３４のうちの所望の地点または区間に対応する操作ボタン３５，３６，３７，３８，３９，４０，４１を選択するユーザ操作を行うと、施設検索条件設定部２６により、選択された操作ボタン３５，３６，３７，３８，３９，４０，４１に対応する地点または区間が、施設の検索条件における検索範囲として設定される。
【００７５】
次いで、施設検索部４５により、施設検索条件設定部２６によって設定された検索条件に応じた施設が検索される。
【００７６】
そして、施設情報描画部４６および表示処理部２２により、図２（ｂ）に示すように、施設の検索結果に対応する施設についての施設情報６がディスプレイ１７に表示される。
【００７７】
なお、本実施形態において、ボタン機能付き推奨経路描画部３２は、図５に示すように、ボタン機能付き推奨経路画像５２として、地点同士の間の区間の距離が所定の閾値距離（例えば、１００ｋｍ）を超える場合には、当該区間を前記閾値距離以内の区間ごとに分割して扱い、分割された各区間を個別に選択可能とされた画像を表示するようにしてもよい。
【００７８】
具体的には、図５においては、地点同士の間の区間としての第２番目の経由地と目的地との間の区間が閾値距離を超えているため、この区間に対応する操作ボタンとしては、この区間を閾値距離以内の２つの区間に分割した上で、分割された２つの区間にそれぞれ対応する２個の操作ボタン４１，５４を表示している。
【００７９】
このようにすれば、さらに地域を限定したルート周辺検索を行うことができる。
【００８０】
（第２実施形態）
以下、本発明に係る車載用ナビゲーション装置の第１実施形態について、図６および図７を参照して説明する。
【００８１】
なお、本実施形態における車載用ナビゲーション装置は、表示されるボタン機能付き推奨経路画像の内容のみが第１実施形態と異なるだけであるので、車載用ナビゲーション装置の構成自体については、第１実施形態と同一の符号を用いて説明する。
【００８２】
本実施形態において、ボタン機能付き推奨経路描画部３２は、ボタン機能付き推奨経路画像として、前記地点をディスプレイ１７に表示される地図上に当該地図の道路形状に適合した状態として示すための図形または前記区間を前記地図上に前記道路形状に適合した状態として示すための図形がそれぞれ描かれた複数個の操作ボタンを、前記地図における該当する位置上に重畳した画像を表示するための描画データを生成するようになっている。
【００８３】
なお、このようなボタン機能付き推奨経路画像における各操作ボタンは、それぞれに描かれた図形に対応する地点または区間を選択可能なものとされている。また、地図は、前述した地図描画部４７の機能を用いて表示すればよい。
【００８４】
そして、表示処理部２２は、図６（ａ）に示すように、このような描画データに対応するボタン機能付き推奨経路画像５６を、ディスプレイ１７に表示された地図５５における該当する位置上に重畳表示するようになっている。
【００８５】
なお、図６（ａ）に示すボタン機能付き推奨経路画像５６は、自車位置、第１番目の経由地、第２番目の経由地および目的地の各地点を示す図形がぞれぞれ描かれた４個の操作ボタン５８，５９，６０，６１と、推奨経路における各地点間の区間を示す図形がそれぞれ描かれた３個の操作ボタン６２，６３，６４とを、地図の道路形状に沿って配置した画像とされている。ただし、図６（ａ）におけるボタン機能付き推奨経路画像５６は、経由地が２箇所設定されている場合の画像であり、経由地を示す図形および推奨経路における経由地に隣接する区間を示す図形が描かれた操作ボタンの個数は、経由地の設定数に応じて増減するようになっている。
【００８６】
ユーザは、入力操作部１４を用いることによって、ディスプレイ１７に表示されたボタン機能付き推奨経路画像５６の中から、所望の地点または区間に対応する操作ボタン５８，５９，６０，６１，６２，６３，６４を選択して操作することができるようになっている。なお、ボタン機能付き推奨経路画像５６は、１個のみの操作ボタン５８，５９，６０，６１，６２，６３，６４を操作することができるものであってもよく、または、複数個の操作ボタン５８，５９，６０，６１，６２，６３，６４を操作することができるものであってもよい。
【００８７】
そして、本実施形態において、施設検索条件設定部２６は、ボタン機能付き推奨経路画像５６におけるユーザによって操作された操作ボタン５８，５９，６０，６１，６２，６３，６４に対応する地点または区間を、施設の検索条件の１つとしての施設の検索範囲として設定するようになっている。
【００８８】
さらに、本実施形態において、施設検索部４５は、施設検索条件設定部２６によって設定された施設の検索条件に応じた施設を検索し、検索結果を施設情報描画部４６に出力するようになっている。
【００８９】
そして、施設情報描画部４６は、検索結果に対応した施設情報６を、図６（ｂ）に示すように表示処理部２２を介してディスプレイ１７に表示するようになっている。
【００９０】
したがって、本実施形態においても、ボタン機能付き推奨経路画像５６の中からユーザによって選択された区間または地点の周辺の施設を検索することによって、推奨経路のうちのユーザが希望する区間または地点に限定したルート周辺検索または経由地周辺検索を行うことができる。
【００９１】
さらに、本実施形態によれば、ボタン機能付き推奨経路画像５６を、地図５５における該当する位置上に重畳表示された画像とすることによって、地図上における各地点または区間の位置関係を直感的に分かり易くすることができるので、ユーザが、所望の地点または区間を迅速かつ適切に選択することができる。
【００９２】
なお、本実施形態においても、ボタン機能付き推奨経路描画部３２は、図７に示すように、ボタン機能付き推奨経路画像６７として、地点同士の間の区間の距離が所定の閾値距離を超える場合には、当該区間を前記閾値距離以内の区間ごとに分割して個別に選択可能とされた画像を表示するようにしてもよい。
【００９３】
具体的には、図７においては、地点同士の間の区間としての第２番目の経由地と目的地との間の区間が閾値距離を超えているため、この区間に対応する操作ボタンとしては、この区間を閾値距離以内の２つの区間に分割した上で、分割された２つの区間にそれぞれ対応する２個の操作ボタン６４，６８を表示している。
【００９４】
このようにすれば、さらに地域を限定したルート周辺検索を行うことができる。
【００９５】
以上述べたように、本発明によれば、経由地を経由する推奨経路が探索された場合には、自車位置、目的地および経由地の各地点および各地点によって区分された推奨経路における各区間をユーザが選択可能とされたボタン機能付き推奨経路画像３４，４２，５２，５６，６７を表示し、表示されたボタン機能付き推奨経路画像３４，４２，５２，５６，６７の中からユーザによって選択された地点または区間の周辺の施設を検索することができる。
【００９６】
この結果、推奨経路のうちのユーザが希望する区間に限定したルート周辺検索を行うことができ、また、従来は複数回のユーザ操作を要していたユーザが希望する経由地に限定した経由地周辺検索を１回のユーザ操作によって行うことができる。
【００９７】
この結果、ルート周辺検索および経由地周辺検索の際に、ユーザの希望に適合した施設を迅速かつ適切に検索することができる。
【００９８】
なお、本発明は、前述した実施の形態に限定されるものではなく、必要に応じて種々の変更が可能である。
【００９９】
たとえば、操作画面描画部２１および表示処理部２２は、メニュー画面等に対して、目的地が設定されていない状態すなわち推奨経路が算出されていない状態における周辺検索に移行するためのユーザ操作がなされた場合には、周辺検索の中心地点を入力するための操作画面を表示することによって、推奨経路が算出されていない場合における施設検索部４５による施設の周辺検索を許容するようにしてもよいことは勿論である。
【図面の簡単な説明】
【０１００】
【図１】本発明に係る車載用ナビゲーション装置の第１実施形態を示すブロック図
【図２】本発明に係る車載用ナビゲーション装置の第１実施形態において、（ａ）は、ボタン機能付き推奨経路画像を、（ｂ）は、施設情報を示す図
【図３】本発明に係る車載用ナビゲーション装置の第１実施形態において、ボタン機能付き推奨経路描画像の変形例を示す図
【図４】経由地が設定されていない場合における検索範囲設定用の操作画面の表示例を示す図
【図５】本発明に係る車載用ナビゲーション装置の第１実施形態において、ボタン機能付き推奨経路画像の図３と異なる他の変形例を示す図
【図６】本発明に係る車載用ナビゲーション装置の第２実施形態において、（ａ）は、ボタン機能付き推奨経路画像を、（ｂ）は、施設情報を示す図
【図７】本発明に係る車載用ナビゲーション装置の第２実施形態において、ボタン機能付き推奨経路描画像の変形例を示す図
【図８】従来の車載用ナビゲーション装置において、（ａ）は、検索範囲選択用画面を、（ｂ）は、検索結果一覧画面を、（ｃ）は、経由地選択用画面を示す図
【符号の説明】
【０１０１】
１３  車載用ナビゲーション装置
１７  ディスプレイ
２４  目的地設定部
２５  経由地設定部
２７  自車位置算出部
３１  推奨経路算出部
３２  ボタン機能付き推奨経路描画部
４５  施設検索部
４６  施設情報描画部
【図１】
2008286585.tif 000003
【図２】
2008286585.tif 000004
【図３】
2008286585.tif 000005
【図４】
2008286585.tif 000006
【図５】
2008286585.tif 000007
【図６】
2008286585.tif 000008
【図７】
2008286585.tif 000009
【図８】
2008286585.tif 000010